(57)【要約】【課題】樹木やハーブ類に比べ多量の芳香成分をもつ樹葉を低温乾燥した乾燥樹葉を充填することにより、クッション性があり、芳香性を高め森林浴効果によるリラクゼーション効果や安眠効果に優れ、樹葉を有効利用でき省資源性、低コスト性に優れる乾燥樹葉入り枕を提供することを目的とする。【解決手段】樹葉を含水率１５％〜４０％、好ましくは含水率２０％〜３５％に乾燥した乾燥樹葉と、乾燥樹葉が充填された通気性袋体と、を備えている。【選択図】図１
2006095103.tif 000002
【特許請求の範囲】
【請求項１】
樹葉を含水率１５％〜４０％、好ましくは含水率２０％〜３５％に乾燥した乾燥樹葉と、前記乾燥樹葉が充填された通気性袋体と、を備えていることを特徴とする乾燥樹葉入り枕。
【請求項２】
前記乾燥樹葉が、前記樹葉を気密室の中で温度３５℃〜４０℃、湿度３０％〜３５％の条件で除湿乾燥したものであることを特徴とする請求項１に記載の乾燥樹葉入り枕。
【請求項３】
前記乾燥樹葉が、前記樹葉を前記気密室の中で圧力０ｋＰａ〜−５０ｋＰａに減圧して乾燥したものであることを特徴とする請求項１又は２に記載の乾燥樹葉入り枕。
【請求項４】
前記樹葉が、桧、杉、松、竹、銀杏、お茶の内いずれか１以上であることを特徴とする請求項１乃至３の内いずれか１項に記載の乾燥樹葉入り枕。
【請求項５】
前記乾燥樹葉が、１ｍｍ〜２０ｍｍの大きさに粉砕されていることを特徴とする請求項１乃至４の内いずれか１項に記載の乾燥樹葉入り枕。
【請求項６】
樹葉を含水率１５％〜４０％、好ましくは含水率２０％〜３５％に乾燥した乾燥樹葉と、前記乾燥樹葉が充填された通気性袋体と、を備えていることを特徴とする乾燥樹葉入り防虫芳香剤。
【請求項７】
前記乾燥樹葉が、前記樹葉を気密室の中で温度３５℃〜４０℃、湿度３０％〜３５％の条件で除湿乾燥したものであることを特徴とする請求項６に記載の乾燥樹葉入り防虫芳香剤。
【請求項８】
前記乾燥樹葉が、前記樹葉を前記気密室の中で圧力０ｋＰａ〜−５０ｋＰａに減圧して乾燥したものであることを特徴とする請求項６又は７に記載の乾燥樹葉入り防虫芳香剤。
【請求項９】
前記樹葉が、桧、杉、松、竹、銀杏、お茶の内いずれか１以上であることを特徴とする請求項６乃至８の内いずれか１項に記載の乾燥樹葉入り防虫芳香剤。
【請求項１０】
前記乾燥樹葉が、１ｍｍ〜２０ｍｍの大きさに粉砕されていることを特徴とする請求項６乃至９の内いずれか１項に記載の乾燥樹葉入り防虫芳香剤。
【発明の詳細な説明】
【技術分野】
【０００１】
本発明は、乾燥樹葉が充填され吸湿効果、リラクゼーション効果、安眠効果を有する乾燥樹葉入り枕及び芳香性、抗菌性、空気浄化作用、防虫効果等を有する乾燥樹葉入り防虫芳香剤に関する。
【背景技術】
【０００２】
ハーブ類などの薬草や森林樹葉には、多数の芳香を発する精油成分が含まれ、これらの成分は、ストレスや疲労の緩和、精神安定作用、安眠効果、殺菌作用、ダニなどの害虫の防虫効果、空気浄化作用などの優れた効能をもつことが、医学的・生理学的に明らかにされつつあり、古くからアロマテラピーとして体験的に病気の治療や健康増進にこれらの成分を利用する試みが多数行われてきた。
近年脚光を浴びている森林浴で爽快な気分になるのは、森林から発する芳香成分であるフィトンチッドが空気中に充満しているからである。この芳香成分は安眠に対しても優れた効果を発揮するため、芳香成分をもつ檜の粒状物やハーブ類の葉を枕の充填材とする提案は多数あり、それらの一部は実用に供されている。
しかしながら、桧等の樹木のチップを充填材としたものは、クッション性に欠け、使用時にチップの角が当たる等して痛みを感じ、使用性に欠けるという問題点があった。
これらの問題点を解決するために、例えば（特許文献１）には「フィトンチッドを発散する樹木の細片を乾燥し、通気性を有する不織布からなる袋に詰め、該袋を布製のカバ−の中に装着してなることを特徴とする安眠枕」が開示されている。
（特許文献２）には「含水率１５％以下に人工乾燥させた桧を厚さ０．５ｍｍ以下に切削し、更に破砕し、幅・長さ共に１０ｍｍ以下の大きさに選別して、充填材として使用した桧枕」が開示されている。
（特許文献３）には「枕の詰め物が桧のおが屑であることを特徴とする桧のおが屑入り枕」が開示されている。
（特許文献４）には「抜倒したトドマツから採取した樹葉と小豆を、高周波減圧乾燥機で低温急速乾燥を行うことによって得られることを特徴とする枕に好適な充填物」が開示されている。
【特許文献１】登録実用新案第３０３３０１８号公報
【特許文献２】登録実用新案第３０３６１８３号公報
【特許文献３】特開２００２−１７５４１号公報
【特許文献４】特開２００１−１２０４１１号公報
【発明の開示】
【発明が解決しようとする課題】
【０００３】
しかしながら、上記従来の技術では、以下のような課題を有していた。
（１）（特許文献１）では、おがくず等の樹木の細片を自然乾燥したものを用いるため、予め樹木を細片に加工する必要があると共に、自然乾燥であるため乾燥に時間を要し、生産性に欠けるという課題を有していた。
（２）（特許文献２）では、桧を厚さ０．５ｍｍ以下に切削し、更に破砕し、幅・長さ共に１０ｍｍ以下の大きさに選別する必要があるため、切削や破砕などの加工や選別に時間を要し、生産性に欠けるという課題を有していた。
（３）（特許文献３）では、桧のおが屑を利用するため、生産性に欠けるという課題を有していた。また、吸熱性、吸湿性を向上させ、使用時の痛みを和らげるために枕の表面に籐の丸ビーズを詰めた袋を配置する必要があり、低コスト性、生産性に欠けるという課題を有していた。
（４）（特許文献４）では、抜倒したトドマツから採取した樹葉を用いているが、枯れた樹葉や、抜倒して雨水等に打たれ水に浸漬された樹葉では、有効成分であるフィトンチッドの含有量が少なく、芳香性、抗菌性、防虫効果に欠け、森林浴の作用によるリラクゼーション効果や安眠効果がなく、実用性に欠けるという課題を有していた。
（５）本来の森林浴の芳香は樹木の幹からではなく樹葉から発散されているにも関わらず、樹葉を有効に利用した枕や芳香剤はなく、実用性、機能性に欠けるという課題を有していた。
【０００４】
本発明は上記従来の課題を解決するもので、樹木やハーブ類に比べ多量の芳香成分をもつ樹葉を低温乾燥した乾燥樹葉を充填することにより、クッション性があり、芳香性を高め森林浴効果によるリラクゼーション効果や安眠効果に優れ、樹葉を有効利用でき省資源性、低コスト性に優れる乾燥樹葉入り枕の提供及び樹葉を低温乾燥することにより、芳香成分の変質と蒸散を防ぐことができ、芳香性、抗菌性、空気浄化作用、防虫効果に優れる乾燥樹葉入り防虫芳香剤の提供を目的とする。
【課題を解決するための手段】
【０００５】
上記課題を解決するために本発明の乾燥樹葉入り枕及び乾燥樹葉入り防虫芳香剤は、以下の構成を有している。
本発明の請求項１に記載の乾燥樹葉入り枕は、樹葉を含水率１５％〜４０％、好ましくは含水率２０％〜３５％に乾燥した乾燥樹葉と、前記乾燥樹葉が充填された通気性袋体と、を備えた構成を有している。
この構成により、以下のような作用を有する。
（１）含水率１５％〜４０％、好ましくは含水率２０％〜３５％に乾燥した乾燥樹葉を使用することにより、適度なクッション性と吸湿性で寝心地がよく、樹葉内のフィトンチッドの変質や蒸散が発生せず抗菌性に優れ、細菌やカビ等の繁殖を防ぐことができ、芳香性に優れ、森林浴効果によるリラクゼーション効果やアロマテラピー効果、安眠効果に優れる。
（２）含水率１５％〜４０％、好ましくは含水率２０％〜３５％に乾燥した乾燥樹葉は、手などで握るだけで容易に粉砕することができ、機械による加工等が不要で、生産性に優れる。
（３）乾燥樹葉を通気性袋体に充填することにより、寝汗や湿気等を効率的に吸収して寝苦しさを解消することができると共に、適度に芳香成分を発散してストレスや疲労の緩和、精神安定作用を得ることができる。
（４）乾燥樹葉が通気性袋体に充填されているので、既存の枕カバーの中に収容するだけで枕として使用できる。
【０００６】
ここで、乾燥樹葉の含水率が２０％より低くなるにつれ森林浴効果や芳香性が減少し易くなる傾向があり、含水率が３５％より高くなるにつれ吸湿性、芳香性が低下する傾向がある。特に、含水率が１５％より低くなると有効成分であるフィトンチッドが失われ易くなって、十分な抗菌性やリラクゼーション効果等を得ることが困難になり、含水率が４０％より高くなると乾燥が不十分となり破砕が困難で生産性が低下し、乾燥樹葉やフィトンチッドの変質が発生し易くなって長寿命性、実用性に欠け、いずれも好ましくない。
また、樹葉を乾燥する際には、低温で減圧乾燥することが好ましい。低温で短時間に乾燥させることができ、熱によるダメージが少なく芳香成分の変質を防止できるためである。
通気性袋体としては木綿等の布製の袋が好適に用いられる。これにより、水分の吸収、発散や芳香成分の発散を効率的に行うことができると共に、内部に充填した乾燥樹葉やその欠片等が外部にもれ難く信頼性に優れる。尚、通気性袋体を二重に形成した場合、さらに確実に乾燥樹葉のもれを防止でき、森林浴効果と芳香性を長期間保持することができ長寿命性に優れる。また、通気性袋体にはファスナーや面ファスナー等の開閉部を設けることが好ましい。これにより、乾燥樹葉の効果が低下した場合でも、乾燥樹葉を容易に交換することができ、不要になった乾燥樹葉は土壌等にまいて堆肥として再利用することができる。
【０００７】
請求項２に記載の発明は、請求項１に記載の乾燥樹葉入り枕であって、前記乾燥樹葉が、前記樹葉を気密室の中で温度３５℃〜４０℃、湿度３０％〜３５％の条件で除湿乾燥したものである構成を有している。
この構成により、請求項１の作用に加え、以下のような作用を有する。
（１）樹葉を気密室の中で温度３５℃〜４０℃、湿度３０％〜３５％の条件で除湿乾燥することにより、乾燥樹葉に熱によるダメージがほとんどなく、芳香成分が変質しないで多量に含有され芳香性に優れると共に、乾燥樹葉の内部に抗菌性を有するフィトンチッドが残留し、防虫、防カビ、空気浄化作用、精神安定性に優れる。
ここで、樹葉を除湿乾燥する温度が３５℃より低く、湿度が３５％より高くなるにつれ、樹葉の乾燥時間が長くなり生産性に欠け、実用性に欠ける傾向があり、温度が４０℃より高く、湿度が３０％より低くなるにつれ、樹葉が短時間で乾燥され樹葉の組織の熱変性が激しくダメージが発生し易くなり、有効成分のフィトンチッドが水分と一緒に共沸現象で失われ香りが残らず、芳香性、防虫性が低下する傾向があり、いずれも好ましくない。
【０００８】
請求項３に記載の発明は、請求項１又は２に記載の乾燥樹葉入り枕であって、前記乾燥樹葉が、前記樹葉を前記気密室の中で圧力０ｋＰａ〜−５０ｋＰａに減圧して乾燥したものである構成を有している。
この構成により、請求項１又は２の作用に加え、以下のような作用を有する。
（１）樹葉を気密室の中で圧力０ｋＰａ〜−５０ｋＰａに減圧して乾燥した乾燥樹葉を使用することにより、乾燥樹葉の含水率のばらつきが少なく、吸湿性、抗菌性、防虫性等の効果の均一性に優れ、カビ等の発生を防ぐことができ、芳香性に優れ、森林浴効果によるリラクゼーション効果に優れる。
ここで、樹葉を乾燥する減圧圧力が−５０ｋＰａより大きくなるにつれ、樹葉中の有効成分の沸点が低下し、有効成分の中の低沸点成分が失われ易くなり、芳香性、防虫性、リラクゼーション効果が低下する傾向があり好ましくない。
【０００９】
請求項４に記載の発明は、請求項１乃至３の内いずれか１項に記載の乾燥樹葉入り防虫芳香剤であって、前記樹葉が、桧、杉、松、竹、銀杏、お茶の内いずれか１以上である構成を有している。
この構成により、請求項１乃至３の内いずれか１項の作用に加え、以下のような作用を有する。
（１）桧、杉、松、竹、銀杏、お茶の内いずれか１以上の樹葉を用いることにより、乾燥樹葉に含まれるフィトンチッドが豊富で、芳香性、防虫性に優れる。
ここで、桧、杉、松、竹、銀杏、お茶の樹葉は伐採されたものを用いることができるので、廃棄されていた資源を有効利用することができると共に、廃棄処理費用を低減でき、省資源性に優れる。特に、桧はヒノキチオール等のフィトンチッドの含有量が多いので乾燥樹葉として好ましい。
尚、枯れた樹葉や、抜倒して雨水等に打たれ水に浸漬された樹葉等は、有効成分であるフィトンチッドの含有量が少なく、芳香性、抗菌性、防虫性に欠け、好ましくない。
【００１０】
請求項５に記載の発明は、請求項１乃至４の内いずれか１項に記載の乾燥樹葉入り防虫芳香剤であって、前記乾燥樹葉が、１ｍｍ〜２０ｍｍの大きさに粉砕されている構成を有している。
この構成により、請求項１乃至４の内いずれか１項の作用に加え、以下のような作用を有する。
（１）乾燥樹葉が、１ｍｍ〜２０ｍｍの大きさに粉砕されていることにより、乾燥樹葉の表面積が増加し、適度なクッション性を有すると共に、粉砕された断面から大量のフィトンチッドを発散することができ、防虫性、芳香性を向上させることができる。
ここで、乾燥樹葉の大きさが１ｍｍより小さくなるにつれ、乾燥樹葉が粉化し易くなり、通気性袋体の網目から乾燥樹葉がもれ易くなって室内等が汚れ、清掃作業が必要になる等して実用性、信頼性に欠ける傾向があり、２０ｍｍより大きくなるにつれ、クッション性に欠けると共に、表面積が減り断面から発散されるフィトンチッドの量が不十分となって実用性に欠ける傾向があり、いずれも好ましくない。
【００１１】
本発明の請求項６に記載の乾燥樹葉入り防虫芳香剤は、樹葉を含水率２０％〜３０％に乾燥した乾燥樹葉と、前記乾燥樹葉が充填された通気性袋体と、を備えた構成を有している。
この構成により、以下のような作用を有する。
（１）含水率１５％〜４０％、好ましくは含水率２０％〜３５％に乾燥した乾燥樹葉を使用することにより、樹葉内のフィトンチッドの変質や蒸散が発生せず抗菌性、防虫性に優れ、細菌やカビ等の繁殖を防ぐことができ、芳香性に優れ、森林浴効果によるリラクゼーション効果やアロマテラピー効果に優れる。
（２）含水率１５％〜４０％、好ましくは含水率２０％〜３５％に乾燥した乾燥樹葉は、手などで握るだけで容易に粉砕することができ、機械による加工等が不要で、生産性に優れる。
（３）乾燥樹葉を通気性袋体に充填することにより、湿気等を効率的に吸収して設置箇所の湿度を適度に保つことができると共に、芳香成分を発散してストレスや疲労の緩和、精神安定作用を得ることができる。
（４）乾燥樹葉が通気性袋体に充填されているので、そのままタンス、押入、靴箱、台所、応接室や自動車の車内等の様々な場所に設置したり、既存の布団、枕、座布団等のカバーの中に収容したりして手軽に使用できる。
【００１２】
ここで、乾燥樹葉の含水率が２０％より低くなるにつれ森林浴効果や芳香性、防虫効果が減少し易くなる傾向があり、含水率が３５％より高くなるにつれ吸湿性、芳香性が低下する傾向がある。特に、含水率が１５％より低くなると有効成分であるフィトンチッドが失われ易くなって、十分な抗菌性や防虫効果、リラクゼーション効果等を得ることが困難になり、含水率が４０％より高くなると乾燥が不十分となり破砕が困難で生産性が低下し、乾燥樹葉やフィトンチッドの変質が発生し易くなって長寿命性、実用性に欠け、いずれも好ましくない。前述のように、樹葉を低温で減圧乾燥することにより、短時間で乾燥させることができ、熱によるダメージが少なく芳香成分の変質を防止できる。
通気性袋体としては、前述の乾燥樹葉入り枕に使用したものと同様の材質、構成のものを使用することができ、不要になった乾燥樹葉も同様に堆肥として再利用できる。
【００１３】
請求項７に記載の発明は、請求項６に記載の乾燥樹葉入り防虫芳香剤であって、前記乾燥樹葉が、前記樹葉を気密室の中で温度３５℃〜４０℃、湿度３０％〜３５％の条件で除湿乾燥したものである構成を有している。
この構成により、請求項６の作用に加え、以下のような作用を有する。
（１）樹葉を気密室の中で温度３５℃〜４０℃、湿度３０％〜３５％の条件で除湿乾燥することにより、乾燥樹葉に熱によるダメージがほとんどなく、芳香成分が変質しないで多量に含有され芳香性に優れると共に、乾燥樹葉の内部に抗菌性を有するフィトンチッドが残留し、防虫、防カビ、空気浄化作用、精神安定性に優れる。
ここで、樹葉を除湿乾燥する温度が３５℃より低く、湿度が３５％より高くなるにつれ、樹葉の乾燥時間が長くなり生産性に欠け、実用性に欠ける傾向があり、温度が４０℃より高く、湿度が３０％より低くなるにつれ、樹葉が短時間で乾燥され樹葉の組織の熱変性が激しくダメージが発生し易く、有効成分のフィトンチッドが水分と一緒に共沸現象で失われ香りが残らず、芳香性、防虫性が低下する傾向があり、いずれも好ましくない。
【００１４】
請求項８に記載の発明は、請求項６又は７に記載の乾燥樹葉入り防虫芳香剤であって、前記乾燥樹葉が、前記樹葉を前記気密室の中で圧力０ｋＰａ〜−５０ｋＰａに減圧して乾燥したものである構成を有している。
この構成により、請求項１又は２の作用に加え、以下のような作用を有する。
（１）樹葉を気密室の中で圧力０ｋＰａ〜−５０ｋＰａに減圧して乾燥した乾燥樹葉を使用することにより、乾燥樹葉の含水率のばらつきが少なく、吸湿性、抗菌性、防虫性等の効果の均一性に優れ、カビ等の発生を防ぐことができ、芳香性に優れ、森林浴効果によるリラクゼーション効果に優れる。
ここで、樹葉を乾燥する減圧圧力が−５０ｋＰａより大きくなるにつれ、樹葉中の有効成分の沸点が低下し、有効成分の中の低沸点成分が失われ易くなり、芳香性、防虫性、リラクゼーション効果が低下する傾向があり好ましくない。
【００１５】
請求項９に記載の発明は、請求項６乃至８の内いずれか１項に記載の乾燥樹葉入り防虫芳香剤であって、前記樹葉が、桧、杉、松、竹、銀杏、お茶の内いずれか１以上である構成を有している。
この構成により、請求項６乃至８の内いずれか１項の作用に加え、以下のような作用を有する。
（１）桧、杉、松、竹、銀杏、お茶の内いずれか１以上の樹葉を用いることにより、乾燥樹葉に含まれるフィトンチッドが豊富で、芳香性、防虫性に優れる。
ここで、桧、杉、松、竹、銀杏、お茶の樹葉は伐採されたものを用いることができるので、廃棄されていた資源を有効利用することができると共に、廃棄処理費用を低減でき、省資源性に優れる。特に、桧はヒノキチオール等のフィトンチッドの含有量が多いので乾燥樹葉として好ましい。
尚、枯れた樹葉や、抜倒して雨水等に打たれ水に浸漬された樹葉等は、有効成分であるフィトンチッドの含有量が少なく、芳香性、抗菌性、防虫性に欠け、好ましくない。
【００１６】
請求項１０に記載の発明は、請求項６乃至９の内いずれか１項に記載の乾燥樹葉入り防虫芳香剤であって、前記乾燥樹葉が、１ｍｍ〜２０ｍｍの大きさに粉砕されている構成を有している。
この構成により、請求項６乃至９の内いずれか１項の作用に加え、以下のような作用を有する。
（１）乾燥樹葉が、１ｍｍ〜２０ｍｍの大きさに粉砕されていることにより、乾燥樹葉の表面積が増加し、粉砕された断面から大量のフィトンチッドを発散することができ、防虫性、芳香性を向上させることができる。
ここで、乾燥樹葉の大きさが１ｍｍより小さくなるにつれ、乾燥樹葉が粉化し易くなり、通気性袋体の網目から乾燥樹葉がもれ易くなって室内等が汚れ、清掃作業が必要になる等して実用性、信頼性に欠ける傾向があり、２０ｍｍより大きくなるにつれ、表面積が減り断面から発散されるフィトンチッドの量が不十分となって実用性に欠ける傾向があり、いずれも好ましくない。
【発明の効果】
【００１７】
以上のように、本発明の乾燥樹葉入り枕及び乾燥樹葉入り防虫芳香剤によれば、以下のような有利な効果が得られる。
請求項１に記載の発明によれば、以下のような効果を有する。
（１）含水率１５％〜４０％、好ましくは含水率２０％〜３５％に乾燥した乾燥樹葉を使用することにより、適度なクッション性と吸湿性で寝心地がよく、樹葉内のフィトンチッドの変質や蒸散が発生せず抗菌性に優れ、細菌やカビ等の繁殖を防ぐことができ、芳香性に優れ、森林浴効果によるリラクゼーション効果やアロマテラピー効果、安眠効果に優れた乾燥樹葉入り枕を提供することができる。
（２）含水率１５％〜４０％、好ましくは含水率２０％〜３５％に乾燥した乾燥樹葉は、手などで握るだけで容易に粉砕することができ、機械による加工等が不要で、生産性に優れた乾燥樹葉入り枕を提供することができる。
（３）乾燥樹葉を通気性袋体に充填することにより、寝汗や湿気等を効率的に吸収して寝苦しさを解消することができると共に、適度に芳香成分を発散してストレスや疲労の緩和、精神安定作用を得ることができる機能性に優れた乾燥樹葉入り枕を提供することができる。
（４）乾燥樹葉が通気性袋体に充填されているので、既存の枕カバーの中に収容するだけで枕として使用できる取扱い性、実用性に優れた乾燥樹葉入り枕を提供することができる。
【００１８】
請求項２に記載の発明によれば、請求項１の効果に加え、以下のような効果を有する。
（１）樹葉を気密室の中で温度３５℃〜４０℃、湿度３０％〜３５％の条件で除湿乾燥することにより、乾燥樹葉に熱によるダメージがほとんどなく、芳香成分が変質しないで多量に含有され芳香性に優れると共に、乾燥樹葉の内部に抗菌性を有するフィトンチッドが残留し、防虫、防カビ、空気浄化作用、精神安定作用に優れた乾燥樹葉入り枕を提供することができる。
【００１９】
請求項３に記載の発明によれば、請求項１又は２の効果に加え、以下のような効果を有する。
（１）樹葉を気密室の中で圧力０ｋＰａ〜−５０ｋＰａに減圧して乾燥した乾燥樹葉を使用することにより、乾燥樹葉の含水率のばらつきが少なく、吸湿性、抗菌性、防虫性等の効果の均一性に優れ、カビ等の発生を防ぐことができ、森林浴効果によるリラクゼーション効果、芳香性、安眠性に優れた乾燥樹葉入り枕を提供することができる。
【００２０】
請求項４に記載の発明によれば、請求項１乃至３の内いずれか１項の効果に加え、以下のような効果を有する。
（１）桧、杉、松、竹、銀杏、お茶の内いずれか１以上の樹葉を用いることにより、乾燥樹葉に含まれるフィトンチッドが豊富で、リラクゼーション効果、安眠性に優れた乾燥樹葉入り枕を提供することができる。
【００２１】
請求項５に記載の発明によれば、請求項１乃至４の内いずれか１項の効果に加え、以下のような効果を有する。
（１）乾燥樹葉が、１ｍｍ〜２０ｍｍの大きさに粉砕されていることにより、乾燥樹葉の表面積が増加し、粉砕された断面から大量のフィトンチッドを発散することができ、安眠性、芳香性を向上させることができる高品質で信頼性、実用性に優れた乾燥樹葉入り防虫芳香剤を提供することができる。
【００２２】
請求項６に記載の発明によれば、以下のような効果を有する。
（１）含水率１５％〜４０％、好ましくは含水率２０％〜３５％に乾燥した乾燥樹葉を使用することにより、樹葉内のフィトンチッドの変質や蒸散が発生せず抗菌性、防虫性に優れ、細菌やカビ等の繁殖を防ぐことができ、芳香性に優れ、森林浴効果によるリラクゼーション効果やアロマテラピー効果に優れた乾燥樹葉入り防虫芳香剤を提供することができる。
（２）含水率１５％〜４０％、好ましくは含水率２０％〜３５％に乾燥した乾燥樹葉は、手などで握るだけで容易に粉砕することができ、機械による加工等が不要で、生産性に優れた乾燥樹葉入り防虫芳香剤を提供することができる。
（３）乾燥樹葉を通気性袋体に充填することにより、湿気等を効率的に吸収して設置箇所の湿度を適度に保つことができ吸湿性に優れると共に、芳香成分を発散してストレスや疲労の緩和、精神安定作用を得ることができる機能性に優れた乾燥樹葉入り防虫芳香剤を提供することができる。
（４）乾燥樹葉が通気性袋体に充填されているので、そのままタンス、押入、靴箱、台所、応接室や自動車の車内等の様々な場所に設置したり、既存の布団、枕、座布団等のカバーの中に収容したりして手軽に使用できる取扱い性、実用性に優れた乾燥樹葉入り防虫芳香剤を提供することができる。
【００２３】
請求項７に記載の発明によれば、請求項６の効果に加え、以下のような効果を有する。
（１）樹葉を気密室の中で温度３５℃〜４０℃、湿度３０％〜３５％の条件で除湿乾燥することにより、乾燥樹葉に熱によるダメージがほとんどなく、芳香成分が変質しないで多量に含有され芳香性に優れると共に、乾燥樹葉の内部に抗菌性を有するフィトンチッドが残留し、防虫、防カビ、空気浄化作用、精神安定作用に優れた乾燥樹葉入り防虫芳香剤を提供することができる。
【００２４】
請求項８に記載の発明によれば、請求項６又は７の効果に加え、以下のような効果を有する。
（１）樹葉を気密室の中で圧力０ｋＰａ〜−５０ｋＰａに減圧して乾燥した乾燥樹葉を使用することにより、乾燥樹葉の含水率のばらつきが少なく、吸湿性、抗菌性、防虫性等の効果の均一性に優れ、カビ等の発生を防ぐことができ、森林浴効果によるリラクゼーション効果、芳香性に優れた乾燥樹葉入り防虫芳香剤を提供することができる。
【００２５】
請求項９に記載の発明によれば、請求項６乃至８の内いずれか１項の効果に加え、以下のような効果を有する。
（１）桧、杉、松、竹、銀杏、お茶の内いずれか１以上の樹葉を用いることにより、乾燥樹葉に含まれるフィトンチッドが豊富で、芳香性、防虫性に優れた乾燥樹葉入り防虫芳香剤を提供することができる。
【００２６】
請求項１０に記載の発明によれば、請求項６乃至９の内いずれか１項の効果に加え、以下のような効果を有する。
（１）乾燥樹葉が、１ｍｍ〜２０ｍｍの大きさに粉砕されていることにより、乾燥樹葉の表面積が増加し、粉砕された断面から大量のフィトンチッドを発散することができ、防虫性、芳香性を向上させることができる高品質で信頼性、実用性に優れた乾燥樹葉入り防虫芳香剤を提供することができる。
【発明を実施するための最良の形態】
【００２７】
（実施の形態１）
本発明の実施の形態１における乾燥樹葉入り枕について、以下図面を用いて説明する。
図１は本発明の実施の形態１における乾燥樹葉入り枕の一部破断透視斜視図である。
図１中、１は本発明の実施の形態１における乾燥樹葉入り枕、２は木綿で形成された乾燥樹葉入り枕１の通気性袋体、２ａはファスナーで形成された通気性袋体２の開閉部、３は通気性袋体２に充填された檜の乾燥樹葉である。
【００２８】
乾燥樹葉３は樹葉を含水率１５％〜４０％、好ましくは含水率２０％〜３５％に乾燥したものを使用した。含水率が２０％より低くなるにつれ森林浴効果や芳香性が減少し易くなる傾向があり、含水率が３５％より高くなるにつれ吸湿性、芳香性が低下する傾向があって、特に、含水率が１５％より低くなると有効成分であるフィトンチッドが失われ易くなって、十分な抗菌性やリラクゼーション効果等を得ることが困難になり、含水率が４０％より高くなると乾燥が不十分となり破砕が困難で生産性が低下し、乾燥樹葉やフィトンチッドの変質が発生し易くなって長寿命性、実用性に欠けることがわかったためである。
また、乾燥樹葉３は樹葉を気密室の中で温度３５℃〜４０℃、湿度３０％〜３５％で除湿乾燥したものを使用した。樹葉を除湿乾燥する温度が３５℃より低く、湿度が３５％より高くなるにつれ、樹葉の乾燥時間が長くなり生産性に欠け、実用性に欠ける傾向があり、温度が４０℃より高く、湿度が３０％より低くなるにつれ、樹葉が短時間で乾燥され樹葉の組織の熱変性が激しくダメージが発生し易く、有効成分のフィトンチッドが水分と一緒に共沸現象で失われ香りが残らず、芳香性、防虫性が低下する傾向があることがわかったためである。
【００２９】
乾燥樹葉３は除湿乾燥の途中で断続的に圧力０ｋＰａ〜−５０ｋＰａで減圧乾燥したものが好ましい。樹葉を乾燥する減圧圧力が−５０ｋＰａより大きくなるにつれ、樹葉中の有効成分の沸点が低下し、有効成分の中の低沸点成分が失われ易くなり、芳香性、防虫性、リラクゼーション効果が低下する傾向があることがわかったためである。
また、乾燥樹葉３は１ｍｍ〜２０ｍｍの大きさに粉砕して使用した。乾燥樹葉３の大きさが１ｍｍより小さくなるにつれ、乾燥樹葉３が粉化し易くなり、通気性袋体２の網目から乾燥樹葉３がもれ易くなって室内等が汚れ、清掃作業が必要になる等して実用性、信頼性に欠ける傾向があり、２０ｍｍより大きくなるにつれ、クッション性に欠けると共に、表面積が減り断面から発散されるフィトンチッドの量が不十分となって実用性に欠ける傾向があることがわかったためである。
【００３０】
乾燥樹葉入り枕１は、既存の枕カバーに収容することにより通常の枕と同様に使用することができる。通気性袋体２を二重に形成した場合、確実に乾燥樹葉３のもれを防止でき、森林浴効果と芳香性を長期間保持することができ長寿命性に優れる。
尚、本実施の形態では、通気性袋体２の開閉部２ａをファスナーで形成したが、ファスナー以外でも開閉自在なものであればよく、開口部２ａに内蓋等を形成し面ファスナーやボタン等で開閉するようにしてもよい。
また、通気性袋体２に充填する乾燥樹葉３は、檜以外に杉、松、竹、銀杏、お茶を用いることができ、単独で用いてもよいし、複数種類を混合して用いても良い。。特に、桧はヒノキチオール等のフィトンチッドの含有量が多いので乾燥樹葉３として好ましい。
【００３１】
以上のように実施の形態１における乾燥樹葉入り枕は構成されているので、以下の作用を有する。
（１）含水率１５％〜４０％、好ましくは含水率２０％〜３５％に乾燥した乾燥樹葉３を使用することにより、適度なクッション性と吸湿性で寝心地がよく、樹葉内のフィトンチッドの変質や蒸散が発生せず抗菌性に優れ、細菌やカビ等の繁殖を防ぐことができ、芳香性に優れ、森林浴効果によるリラクゼーション効果やアロマテラピー効果、安眠効果に優れる。
（２）含水率１５％〜４０％、好ましくは含水率２０％〜３５％に乾燥した乾燥樹葉３は、手などで握るだけで容易に粉砕することができ、機械による加工等が不要で、生産性に優れる。
（３）乾燥樹葉３を通気性袋体２に充填することにより、寝汗や湿気等を効率的に吸収して寝苦しさを解消することができると共に、適度に芳香成分を発散してストレスや疲労の緩和、精神安定作用を得ることができる。
（４）乾燥樹葉３が通気性袋体２に充填されているので、既存の枕カバーの中に収容するだけで枕として使用できる。
（５）通気性袋体２に開閉部２ａを設けることにより、乾燥樹葉３の効果が低下した場合でも、乾燥樹葉３を容易に交換することができ、不要になった乾燥樹葉３は土壌等にまいて堆肥として再利用することができる。
（６）樹葉を気密室の中で温度３５℃〜４０℃、湿度３０％〜３５％の条件で除湿乾燥することにより、乾燥樹葉３に熱によるダメージがほとんどなく、芳香成分が変質しないで多量に含有され香りが残り芳香性に優れると共に、乾燥樹葉３の内部に抗菌性を有するフィトンチッドが残留し、防虫、防カビ、空気浄化作用、精神安定作用に優れる。
（７）樹葉を気密室の中で圧力０ｋＰａ〜−５０ｋＰａに減圧して乾燥した乾燥樹葉３を使用することにより、乾燥樹葉３の含水率のばらつきが少なく、吸湿性、抗菌性、防虫性等の効果の均一性に優れ、カビ等の発生を防ぐことができ、芳香性に優れ、森林浴効果によるリラクゼーション効果に優れる。
（８）桧、杉、松、竹、銀杏、お茶の内いずれか１以上の樹葉を用いることにより、乾燥樹葉３に含まれるフィトンチッドが豊富で、芳香性、防虫性に優れる。特に、桧はヒノキチオール等のフィトンチッドの含有量が多いので好ましい。
（９）乾燥樹葉３が、１ｍｍ〜２０ｍｍの大きさに粉砕されていることにより、乾燥樹葉３の表面積が増加し、適度なクッション性を有すると共に、粉砕された断面から大量のフィトンチッドを発散することができ、防虫性、芳香性を向上させることができる。
【００３２】
（実施の形態２）
本発明の実施の形態２における乾燥樹葉入り防虫芳香剤について、以下図面を用いて説明する。
図２（ａ）は本発明の実施の形態２における乾燥樹葉入り防虫芳香剤の使用状態を示す要部透視斜視図である。
図２中、１ａは本発明の実施の形態１における乾燥樹葉入り枕１と同様に木綿で形成された通気性袋体２に檜の乾燥樹葉３が充填された乾燥樹葉入り防虫芳香剤、５は布団、枕、座布団等のカバーである。
実施の形態２における乾燥樹葉入り防虫芳香剤１ａが実施の形態１における乾燥樹葉入り枕１と異なるのは、乾燥樹葉入り枕１より小型に形成されている点であり、複数の乾燥樹葉入り防虫芳香剤１ａを布団、枕、座布団等のカバー５の中に収容して使用している。
乾燥樹葉入り防虫芳香剤１ａは、既存の布団、枕、座布団等のカバー５の中に収容する以外に、そのままタンス、押入、靴箱、台所、応接室や自動車の車内等の様々な場所に設置して手軽に使用できる。
尚、本実施の形態では、乾燥樹葉入り防虫芳香剤１ａを略矩形状に形成したが、略円形や略楕円形或いはこれらを組合せた形状等、使用場所の形状等に応じて適宜、選択することができる。また、乾燥樹葉入り防虫芳香剤１ａの個数や大きさは、設置場所や収容場所の広さ、大きさに応じて適宜、選択することができる。
【００３３】
以上のように実施の形態２における乾燥樹葉入り防虫芳香剤は構成されているので、以下の作用を有する。
（１）含水率１５％〜４０％、好ましくは含水率２０％〜３５％に乾燥した乾燥樹葉を使用することにより、樹葉内のフィトンチッドの変質や蒸散が発生せず抗菌性、防虫性に優れ、細菌やカビ等の繁殖を防ぐことができ、芳香性に優れ、森林浴効果によるリラクゼーション効果やアロマテラピー効果に優れる。
（２）含水率１５％〜４０％、好ましくは含水率２０％〜３５％に乾燥した乾燥樹葉は、手などで握るだけで容易に粉砕することができ、機械による加工等が不要で、生産性に優れる。
（３）乾燥樹葉を通気性袋体２に充填することにより、湿気等を効率的に吸収して設置箇所の湿度を適度に保つことができると共に、芳香成分を発散してストレスや疲労の緩和、精神安定作用を得ることができる。
（４）乾燥樹葉が通気性袋体２に充填されているので、そのままタンス、押入、靴箱、台所、応接室や自動車の車内等の様々な場所に設置したり、既存の布団、枕、座布団等のカバー５の中に収容したりして手軽に使用できる。
（５）樹葉を気密室の中で温度３５℃〜４０℃、湿度３０％〜３５％の条件で除湿乾燥することにより、乾燥樹葉に熱によるダメージがほとんどなく、芳香成分が変質しないで多量に含有され香りが残り芳香性に優れると共に、乾燥樹葉の内部に抗菌性を有するフィトンチッドが残留し、防虫、防カビ、空気浄化作用、精神安定作用に優れる。
（６）樹葉を気密室の中で圧力０ｋＰａ〜−５０ｋＰａに減圧して乾燥した乾燥樹葉を使用することにより、乾燥樹葉の含水率のばらつきが少なく、吸湿性、抗菌性、防虫性等の効果の均一性に優れ、カビ等の発生を防ぐことができ、芳香性に優れ、森林浴効果によるリラクゼーション効果に優れる。
（７）桧、杉、松、竹、銀杏、お茶の内いずれか１以上の樹葉を用いることにより、乾燥樹葉に含まれるフィトンチッドが豊富で、芳香性、防虫性に優れる。特に、桧はヒノキチオール等のフィトンチッドの含有量が多いので好ましい。
（８）乾燥樹葉が、１ｍｍ〜２０ｍｍの大きさに粉砕されていることにより、乾燥樹葉の表面積が増加し、粉砕された断面から大量のフィトンチッドを発散することができ、防虫性、芳香性を向上させることができる。
【産業上の利用可能性】
【００３４】
本発明は、樹木やハーブ類に比べ多量の芳香成分をもつ樹葉を低温乾燥した乾燥樹葉を充填することにより、クッション性があり、芳香性を高め森林浴効果によるリラクゼーション効果や安眠効果に優れ、樹葉を有効利用でき省資源性、低コスト性に優れる乾燥樹葉入り枕の提供及び樹葉を低温乾燥することにより、芳香成分の変質と蒸散を防ぐことができ、芳香性、抗菌性、空気浄化作用、防虫効果に優れる乾燥樹葉入り防虫芳香剤の提供を行うことができ、樹葉を無駄なく有効利用することができ省資源性に優れる。
【図面の簡単な説明】
【００３５】
【図１】本発明の実施の形態１における乾燥樹葉入り枕の一部破断透視斜視図
【図２】（ａ）本発明の実施の形態２における乾燥樹葉入り防虫芳香剤の使用状態を示す要部透視斜視図
【符号の説明】
【００３６】
１  本発明の実施の形態１における乾燥樹葉入り枕
１ａ  実施の形態２における乾燥樹葉入り防虫芳香剤
２  通気性袋体
２ａ  開閉部
３  乾燥樹葉
５  カバー
【図１】
2006095103.tif 000003
【図２】
2006095103.tif 000004